(57)【要約】【課題】表示部および入力部の点灯制御を好適に行い、消費電流を抑制しつつ、ユーザの視認性および操作性を備えることができる電子機器を提供する。【解決手段】表示部と、所定の入力操作を検出する入力部と、表示部を第一の点灯時間点灯させた後消灯させ（Ｓ１２）、表示部が消灯した後所定時間経過前に入力操作が検出された場合（Ｓ１３のＹＥＳ）、表示部を第一の点灯時間より長い第二の点灯時間点灯させる（Ｓ１５、Ｓ１６）点灯制御部とを備えた。【選択図】  図４
2011166531.tif 000002
【特許請求の範囲】
【請求項１】
表示部と、
所定の入力操作を検出する入力部と、
前記表示部を第一の点灯時間点灯させた後消灯させ、前記表示部が消灯した後所定時間経過前に前記入力操作が検出された場合、前記表示部を前記第一の点灯時間より長い第二の点灯時間点灯させる点灯制御部とを備えたことを特徴とする電子機器。
【請求項２】
前記点灯制御部は、前記表示部が消灯した後所定時間経過後に前記入力操作が検出された場合、前記表示部を前記第一の点灯時間点灯させる請求項１記載の電子機器。
【請求項３】
前記点灯制御部は、前記表示部の点灯時間に前記第二の時間点灯が適用されたアプリケーションが他のアプリケーションに切り替えられた場合、前記表示部を前記第一の点灯時間点灯させる請求項１または２記載の電子機器。
【請求項４】
前記点灯制御部は、前記表示部の点灯時間に前記第二の点灯時間が適用されたアプリケーションの次回起動時においても、前記第二の点灯時間を適用する請求項１〜３のいずれか一項に記載の電子機器。
【請求項５】
前記入力部は点灯可能に構成され、
前記点灯制御部は、前記表示部と共に前記入力部の点灯を制御する請求項１〜４のいずれか一項に記載の電子機器。
【請求項６】
所定の入力操作を検出する入力部と、
前記入力部を第一の点灯時間点灯させた後消灯させ、前記入力部が消灯した後所定時間経過前に前記入力操作が検出された場合、前記入力部を前記第一の点灯時間より長い第二の点灯時間点灯させる点灯制御部とを備えたことを特徴とする電子機器。
【発明の詳細な説明】
【技術分野】
【０００１】
本発明は、表示部および入力部の点灯状態を好適に制御する電子機器に関する。
【背景技術】
【０００２】
携帯電話機をはじめとする電子機器の性能を評価する指標の一つに、バッテリ（二次電池）の連続駆動時間がある。電子機器は、連続駆動時間を長くするため消費電流を可能な限り抑えることが要求される。
【０００３】
従来、ディスプレイや操作キー、タッチパネルなどの消費電流を抑えるため、点灯状態を好適に制御する技術が知られている（例えば、特許文献１および２参照。）。
【０００４】
これらの技術は、一定時間キー入力などのユーザ操作がなければディスプレイのバックライト照明を微灯にしたり消灯したりする制御を行うものであった。このとき、電子機器は、微灯または消灯状態で再度ユーザ操作が行われると、再点灯するようになっている。
【先行技術文献】
【特許文献】
【０００５】
【特許文献１】特開２００３−１６３７４２号公報
【特許文献２】特開２００３−２９８６８４号公報
【発明の概要】
【発明が解決しようとする課題】
【０００６】
ここで、アプリケーションによっては閲覧中にディスプレイが消灯状態となることを回避するため、常時点灯状態を維持するものもある。例えば、画像や動画、電子書籍などを表示するアプリケーションなどが該当する。これによりユーザの視認性や操作性を高め、ディスプレイに表示されたコンテンツをユーザに継続的に閲覧させることができる。しかし、全てのアプリケーションに適用することは、上述した消費電流低減の観点から好ましくない。
【０００７】
一方で、一定時間後にディスプレイを消灯させ、その後のユーザ操作で点灯状態に復帰させる点灯制御を行うと、長時間の閲覧時においては頻繁にユーザ操作を強要することとなり、操作性に欠けることとなる。
【０００８】
本発明はこのような事情を考慮してなされたもので、表示部および入力部の点灯制御を好適に行い、消費電流を抑制しつつ、ユーザの視認性および操作性を備えることができる電子機器を提供することを目的とする。
【課題を解決するための手段】
【０００９】
本発明に係る電子機器は、上述した課題を解決するために、表示部と、所定の入力操作を検出する入力部と、前記表示部を第一の点灯時間点灯させた後消灯させ、前記表示部が消灯した後所定時間経過前に前記入力操作が検出された場合、前記表示部を前記第一の点灯時間より長い第二の点灯時間点灯させる点灯制御部とを備えたことを特徴とするものである。
【００１０】
また、本発明に係る電子機器は、所定の入力操作を検出する入力部と、前記入力部を第一の点灯時間点灯させた後消灯させ、前記入力部が消灯した後所定時間経過前に前記入力操作が検出された場合、前記入力部を前記第一の点灯時間より長い第二の点灯時間点灯させる点灯制御部とを備えたことを特徴とするものである。
【発明の効果】
【００１１】
本発明に係る電子機器は、表示部および入力部の点灯制御を好適に行い、消費電流を抑制しつつ、ユーザの視認性および操作性を備えることができる。
【図面の簡単な説明】
【００１２】
【図１】本発明に係る電子機器の一例である携帯電話機を示す外観斜視図。
【図２】本発明に係る電子機器の一例である携帯電話機の主な機能構成を示す概略的な機能ブロック図。
【図３】本実施形態における携帯電話機の制御部により実行されるメインディスプレイの点灯制御処理を説明するフローチャート。
【図４】本実施形態における携帯電話機の制御部により実行される点灯時間延長処理を説明するフローチャート。
【図５】本実施形態における携帯電話機の制御部により実行される点灯時間設定処理を説明するフローチャート。
【発明を実施するための形態】
【００１３】
本発明に係る電子機器の一実施形態を添付図面に基づいて説明する。
【００１４】
図１は、本発明に係る電子機器の一例である携帯電話機１を示す外観斜視図である。
【００１５】
図１（Ａ）は、折り畳み式の携帯電話機１を約１８０度に開いた開状態のときの正面から見た外観の構成を示す図である。図１（Ｂ）は、図１（Ａ）の携帯電話機１を閉状態にしたときの正面から見た外観の構成を示す図である。
【００１６】
携帯電話機１は、中央のヒンジ部１１を境に第一の筐体１２と第二の筐体１３とがヒンジ結合されている。第一の筐体１２と第二の筐体１３とは、ヒンジ部１１を介して矢印Ｘ方向に折り畳み可能に形成される。携帯電話機１の内部の所定の位置には、送受信用のアンテナ（図２のアンテナ３１）が設けられる。携帯電話機１は、この内蔵されたアンテナを介して基地局（図示せず）との間で電波を送受信する。
【００１７】
第一の筐体１２には、その表面に操作キー１４が設けられる。操作キー１４は、数字キー１５、十字キー１６、確定キー１７などの複数のキーを備える。
【００１８】
数字キー１５は、「０」から「９」の数字や「あ行」から「わ行」のかな文字、「Ａ」から「Ｚ」のアルファベットの入力の受け付けが可能なキーである。十字キー１６は、上下左右方向に操作されることにより、メインディスプレイ２０に表示されたカーソルなどを上下左右方向に移動させる操作などを受け付ける。また、確定キー１７は、押下されることにより、種々の処理の確定操作などを受け付ける。
【００１９】
操作キー１４は、キーの背面に例えば発光ダイオードなどの光源（バックライト）を有する。操作キー１４は、所定のタイミングでこのバックライトが発光制御されることにより、キーが点灯し各キーが暗い場所でも識別可能になっている。操作キー１４は、例えば携帯電話機１が閉状態から開状態に移行した際に点灯したり、音声通話着信時や電子メール受信時に点灯したりする。また、点灯時においては一定時間ユーザによるキー操作が行われない場合に消灯するようになっている。
【００２０】
第一の筐体１２には、操作キー１４の下部にマイクロフォン２１が設けられる。携帯電話機１は、マイクロフォン２１によって通話時のユーザの音声を集音する。
【００２１】
一方、第二の筐体１３には、メインディスプレイ２０が設けられる。メインディスプレイ２０は、電波の受信状態および電池残量を示すピクトアイコンや現在日時の他、電子メールの内容、簡易ホームページなどを表示することができる。なお、メインディスプレイ２０は、例えばＬＣＤ（ＬｉｑｕｉｄＣｒｙｓｔａｌＤｉｓｐｌａｙ）、有機ＥＬ（ＥｌｅｃｔｒｏＬｕｍｉｎｅｓｃｅｎｃｅ）ディスプレイにより構成されるディスプレイである。
【００２２】
メインディスプレイ２０は、操作キー１４と同様に点灯または消灯状態となるように制御される。例えばメインディスプレイ２０がＬＣＤからなる場合には、背面から照明するバックライトの制御に応じて点灯、消灯の制御が行われる。また、メインディスプレイ２０が有機ＥＬディスプレイからなる場合には、例えば各素子に対する電流の制御やバックライトを備える場合にはこのバックライトの制御に応じて点灯、消灯の制御が行われる。
【００２３】
第二の筐体１３のメインディスプレイ２０の上部の所定の位置にはレシーバ（受話器）２２が設けられる。携帯電話機１は、レシーバ２２によって通話時の通話相手の音声を出力する。また、携帯電話機１の所定の位置には、音声を出力するスピーカ（図３のスピーカ３６）も設けられる。これらのレシーバ２２およびマイクロフォン２１を利用することにより、ユーザは音声通話することが可能となる。
【００２４】
図１（Ｂ）に示すように、第二の筐体１３のメインディスプレイ２０が設けられた面と逆の面には、例えばＬＣＤで構成されるサブディスプレイ２８が設けられる。サブディスプレイ２８は、現在のアンテナの感度のレベルを示すアンテナピクト、携帯電話機１の現在の電池残量を示す電池ピクト、現在の時刻などを表示する。
【００２５】
図２は、本発明に係る電子機器の一例である携帯電話機１の主な機能構成を示す概略的な機能ブロック図である。
【００２６】
携帯電話機１は、Ｗ−ＣＤＭＡ方式、ＧＳＭ方式、ｃｄｍａ２０００  １ｘ  ＲＴＴ方式、ＥＶＤＯ方式、および３．９世代のＬＴＥシステムの無線アクセスであるＥ−ＵＴＲＡ方式などの無線通信方式によって音声通信やデータ通信を行う通信機能を備える。また、アンテナ３１、無線送受信部３２、信号処理部３３はこれらの方式に対応する。
【００２７】
アンテナ３１は、移動通信網に収容される基地局から所定の通信処理システムで送信される無線信号を空間から受信する。また、アンテナ３１は、所定の通信処理システムで無線通信できるように空間に所定のアクセス方式の無線信号を放射する。
【００２８】
無線送受信部３２は、アンテナ３１を介して、移動通信網に収容される基地局との間で所定の通信処理方式で無線通信する。無線送受信部３２は、信号処理部３３にて生成された変調信号に基づいて、制御部３９から指示されるキャリア周波数の無線信号を生成する。また、無線送受信部３２は、制御部３９から指示されるキャリア周波数の無線信号を受信し、周波数シンセサイザから出力された局部発振信号とミキシングして中間周波数信号に周波数変換（ダウンコンバート）する。そして、無線送受信部３２は、このダウンコンバートされた中間周波数信号を直交復調して受信ベースバンド信号を出力する。この受信結果は、信号処理部３３と制御部３９に出力される。
【００２９】
信号処理部３３は、ＤＳＰ（Ｄｉｇｉｔａｌ  Ｓｉｇｎａｌ  Ｐｒｏｃｅｓｓｏｒ）などにより構成され、受信ベースバンド信号に所定の信号処理を施し、所定の伝送フォーマットの受信パケットデータを得る。また、信号処理部３３は、受信パケットデータに含まれる音声信号を復調し、この復調結果を復号して音声データなどを得る。復号処理により得られた音声データは、ＰＣＭコーデック３４に供給される。ＰＣＭコーデック３４は、音声データをＰＣＭ復号し、ＰＣＭ復号後のアナログオーディオデータ信号を受話増幅器３５に出力する。このアナログオーディオ信号は、受話増幅器３５にて増幅された後、レシーバ２２、スピーカ３６により出力される。
【００３０】
一方、マイクロフォン２１に入力された話者（ユーザ）の音声信号（アナログオーディオ信号）は、送話増幅器３７により適正レベルまで増幅された後、ＰＣＭコーデック３４によりＰＣＭ符号化される。このＰＣＭ符号化後のオーディオ信号は、信号処理部３３に入力される。信号処理部３３は、このオーディオ信号を符号化し、符号化によって得た音声データやその他のデータに基づいて変調信号を生成するとともに、生成された変調信号を無線送受信部３２に出力する。
【００３１】
制御部３９は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなる。ＣＰＵは、ＲＯＭに記憶されているプログラムまたは記憶部４３からＲＡＭにロードされた、オペレーティングシステム（ＯＳ）を含む各種のアプリケーションプログラムや制御プログラムに従って各種の処理を実行する。また、ＣＰＵは、種々の制御信号を生成し、各部に供給することにより携帯電話機１を統括的に制御する。また、ＲＡＭは、ＣＰＵが各種の処理を実行する上において必要なデータなどを適宜記憶する。
【００３２】
記憶部４３は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなる。記憶部４３は、制御部３９のＣＰＵより実行される種々のアプリケーションプログラムや種々のデータ群、携帯電話機１の制御プログラムや制御データを格納する。この他にも、記憶部４３は、例えば連絡先情報が登録された電話帳データや、データ通信により取得したデータやダウンロードしたデータなどを適宜記憶する。
【００３３】
電源回路４４は、バッテリ４５の出力を基に所定の動作電源電圧Ｖｃｃを生成して各回路部に供給する。時計回路（タイマ）４６は、現在の時刻や一定の時間を測定する。
【００３４】
本実施形態における携帯電話機１は、ユーザがメインディスプレイ２０上で表示されたコンテンツを閲覧する際に、ユーザの視認性および操作性に優れた点灯制御処理を行うようになっている。以下、メインディスプレイ２０の点灯制御処理について具体的に説明する。
【００３５】
図３は、本実施形態における携帯電話機１の制御部３９により実行されるメインディスプレイ２０の点灯制御処理を説明するフローチャートである。
【００３６】
ステップＳ１において、メインディスプレイ２０は点灯状態である。
【００３７】
ステップＳ２において、制御部３９は、操作キー１４よりユーザ操作が検出されたか否かの判定を行う。制御部３９は、ユーザ操作が検出されたと判定した場合、ステップＳ１に戻りメインディスプレイ２０の点灯状態を維持する。なお、制御部３９は、ユーザ操作以外であっても携帯電話機１で生じる外部または内部からの割込み処理の検出の有無を判定してもよい。
【００３８】
一方、制御部３９は、ユーザ操作が検出されていないと判定した場合、ステップＳ３において、制御部３９は、メインディスプレイ２０の点灯を維持する時間である点灯時間が経過したか否かの判定を行う。この点灯時間は、携帯電話機１のＲＡＭなどの記憶領域に設定された変更可能な値である。点灯時間は、例えば通常時（後述する点灯延長時以外）においては予め携帯電話機１に設定された値やユーザ任意に設定された値である通常点灯時間Ｔ（例えば３０秒）が用いられる。また、後述する点灯時間延長処理、点灯時間設定処理が行われた場合には、各処理などにおいて設定された延長点灯時間Ｔｅまたは通常点灯時間Ｔが用いられる。
【００３９】
制御部３９は、点灯時間が経過していないと判定した場合、ステップＳ１に戻りメインディスプレイ２０の点灯状態を維持する。
【００４０】
一方、制御部３９は、設定された点灯時間が経過したと判定した場合、ステップＳ４においてメインディスプレイ２０を消灯状態に遷移させる。
【００４１】
次に、メインディスプレイ２０消灯後に実行される点灯時間延長処理について説明する。
【００４２】
図４は、本実施形態における携帯電話機１の制御部３９により実行される点灯時間延長処理を説明するフローチャートである。
【００４３】
ステップＳ１１において、メインディスプレイ２０は消灯状態である。
【００４４】
ステップＳ１２において、制御部３９は、操作キー１４よりユーザ操作が検出されたか否かの判定を行う。制御部３９は、ユーザ操作が検出されていないと判定した場合、ステップＳ１１に戻りメインディスプレイ２０の消灯状態を維持する。
【００４５】
一方、制御部３９は、ユーザ操作が検出されたと判定した場合、ステップＳ１３において、ユーザ操作はメインディスプレイ２０が消灯状態に遷移した後点灯判定時間Ｔｄ以内に検出されたか否かの判定を行う。この点灯判定時間Ｔｄは、メインディスプレイ２０の消灯がユーザの意図するものであったか否かが判定可能な値（例えば１秒）に設定される。すなわち、制御部３９は、メインディスプレイ２０の消灯後点灯判定時間Ｔｄ以内にユーザ操作が行われた場合には、ユーザは直前のメインディスプレイ２０に表示された内容の閲覧継続中であって再点灯を意図してユーザ操作を行ったとみなす。一方、制御部３９は、メインディスプレイ２０の消灯後点灯判定時間Ｔｄ経過後にユーザ操作が行われた場合には、ユーザは直前のメインディスプレイ２０に表示された内容に対する操作と関連性のない操作を行ったとみなす。
【００４６】
点灯判定時間Ｔｄは、予め携帯電話機１に設定された一定の値であってもよいし、ユーザ任意に設定された値であってもよい。
【００４７】
制御部３９は、ユーザ操作が点灯判定時間Ｔｄ経過後に検出されたと判定した場合、ステップＳ１４において、点灯時間を通常点灯時間Ｔに設定する。なお、ここでは点灯時間を通常点灯時間Ｔに設定するとしているが、これに限らず、点灯判定時間Ｔｄが経過した後のユーザ操作が行われた時点で設定されている点灯時間をそのまま維持してもよい。
【００４８】
一方、制御部３９は、ユーザ操作が点灯判定時間Ｔｄ以内に検出されたと判定した場合、ステップＳ１５において点灯時間を延長点灯時間Ｔｅに設定する。ここで、延長点灯時間Ｔｅは、通常点灯時間Ｔよりも長い値であればいかなる値にも設定することができる。例えば、延長点灯時間Ｔｅは、（通常点灯時間Ｔ＋所定時間Ｔａ）のように所定時間Ｔａ（例えば５秒）を通常点灯時間Ｔに加算することで得られる値である。点灯時間延長処理が繰り返される場合には、延長点灯時間Ｔｅは、（通常点灯時間Ｔ＋Ｔａ×ｎ）のように所定時間Ｔａに処理が繰り返された回数ｎを掛けた値を通常点灯時間Ｔに加算することで得られる値としてもよい。または、ユーザ任意に設定された値を点灯延長時間Ｔｅに適用してもよい。
【００４９】
ステップＳ１６において、制御部３９は、メインディスプレイ２０を点灯状態に遷移させる。点灯時間延長処理が終了すると、再び処理は点灯制御処理（図３）のユーザ操作検出ステップＳ２に戻り、以降の処理を繰り返す。点灯時間が延長点灯時間Ｔｅに設定された場合には、経過判定ステップＳ３で判定に用いられる点灯時間は、この延長点灯時間Ｔｅが用いられる。
【００５０】
この携帯電話機１によれば、点灯制御処理によりメインディスプレイ２０が消灯状態となった後に点灯時間延長処理を行うことにより、明示的な操作を要求することなく点灯時間を延長させることができる。すなわち、点灯時間が不足しキー操作により点灯時間の延長を行ったユーザの意図を好適に反映することができ、メインディスプレイ２０の視認性、および点灯時間延長のための操作性に優れた携帯電話機１を実現することができる。
【００５１】
また、携帯電話機１は、点灯判定時間Ｔｄ以内にユーザ操作があった場合のみ点灯時間を延長し不必要に長時間の点灯を行わないため、消費電流の増加を抑制することができる。
【００５２】
ここで、携帯電話機１においては複数のアプリケーションが実行される。例えば、待ち受けアプリケーション、電子メールアプリケーションや画像、動画閲覧アプリケーションなど、種々のアプリケーションが実行される。また、ユーザがメインディスプレイ２０を閲覧する際の動作（キー入力など）や時間も、アプリケーションの種類によって異なる。
【００５３】
携帯電話機１は、アプリケーションごとに適した点灯時間を設定することにより、視認性、操作性の向上に加えて低消費電流化についても実現することができる。
【００５４】
図５は、本実施形態における携帯電話機１の制御部３９により実行される点灯時間設定処理を説明するフローチャートである。
【００５５】
ステップＳ２１において、制御部３９は現在設定されている点灯時間は、延長点灯時間Ｔｅであるか否かの判定を行う。制御部３９は、延長点灯時間Ｔｅではなく通常点灯時間Ｔが設定されていると判定した場合、処理を終了する。
【００５６】
一方、制御部３９は、延長点灯時間Ｔｅが設定されていると判定した場合、ステップＳ２２において、現在起動中のアプリケーションが他のアプリケーションに切り替えられたか否かの判定を行う。制御部３９は、例えば起動中のアプリケーション（例えば電子メールアプリケーション）が終了し他のアプリケーション（例えば待ち受けアプリケーション）が起動したか否か、または複数のアプリケーションを切り替えながら実行させるいわゆるマルチタスク機能を利用し起動中のアプリケーションに代わって他のアプリケーションがフォアグラウンドで実行されたか否かの判定を行う。
【００５７】
制御部３９は、アプリケーションが切り替えられていないと判定した場合、ステップＳ２１に戻り以降の処理を繰り返す。
【００５８】
一方、制御部３９は、アプリケーションが切り替えられたと判定した場合、ステップＳ２３において、延長点灯時間Ｔｅに設定中の点灯時間を通常点灯時間Ｔに設定する。すなわち、制御部３９は、点灯時間の延長を終了し、図３に示す通常点灯時間Ｔを用いた点灯制御処理を実行する。
【００５９】
この携帯電話機１によれば、延長点灯時間Ｔｅが適用されたアプリケーション以外のアプリケーションが起動した場合には通常点灯時間Ｔを適用することで、アプリケーションごとに細かいメインディスプレイ２０の点灯制御を行うことができる。
【００６０】
また、アプリケーションごとに点灯時間を切り替えることで、点灯時間の延長が要求されたアプリケーションには明示的な操作なく延長を行う一方、それ以外のアプリケーションには通常点灯時間を用いるようにしたので、アプリケーションごとに点灯時間を設定する煩雑さを回避できると同時に、不要な消費電流の増加を抑制することができる。
【００６１】
なお、点灯時間に延長点灯時間Ｔｅが用いられたアプリケーションについては、次回起動時においてもこの延長点灯時間Ｔｅを用いて点灯制御処理を行うようにしてもよい。ユーザが点灯時間を延長したアプリケーションについては通常点灯時間では短いと考えられるため、延長された点灯時間を適用することでユーザの意図をより反映させることができるからである。
【００６２】
上述した図３〜図５の各処理においては、メインディスプレイ２０の点灯のみに適用して説明したが、メインディスプレイ２０のみならず、操作キー１４のバックライトの点灯制御や、サブディスプレイ２８の点灯制御に適用してもよい。メインディスプレイ２０などの点灯制御は、点灯状態および消灯状態間の制御のみならず、点灯状態よりも輝度が低い（複数段階の）微灯状態を経た後に消灯状態へ移行する制御も含むものとする。
【００６３】
また、本実施形態における携帯電話機１は、表示部および入力部にディスプレイと操作キーとが個別に設けられた例を適用したが、表示部と入力部とが一体に形成されたタッチパネルを適用したり、タッチセンタで構成された操作キーを適用したりしてもよい。
【００６４】
本発明に係る電子機器は、携帯電話機１のみならず例えばＰＤＡ（ＰｅｒｓｏｎａｌＤｉｇｉｔａｌＡｓｓｉｓｔａｎｔ）、パーソナルコンピュータ、携帯型ゲーム機、携帯型音楽再生機、携帯型動画再生機、その他の電子機器に適用することができる。
【００６５】
また、本発明の実施形態において説明した一連の処理は、ソフトウェアにより実行させることもできるが、ハードウェアにより実行させることもできる。
【００６６】
さらに、本発明の実施形態では、フローチャートのステップは、記載された順序に沿って時系列的に行われる処理例を示したが、必ずしも時系列的に処理されなくとも、並列的あるいは個別実行される処理をも含むものである。
【符号の説明】
【００６７】
１  携帯電話機
１１  ヒンジ部
１２  第一の筐体
１３  第二の筐体
１４  操作キー
２０  メインディスプレイ
２１  マイクロフォン
２２  レシーバ（受話器）
２８  サブディスプレイ
３１  アンテナ
３２  無線送受信部
３３  信号処理部
３４  ＰＣＭコーデック
３５  受話増幅器
３６  スピーカ
３７  送話増幅器
３９  制御部
４３  記憶部
４４  電源回路
４５  バッテリ
４６  時計回路（タイマ）
【図１】
2011166531.tif 000003
【図２】
2011166531.tif 000004
【図３】
2011166531.tif 000005
【図４】
2011166531.tif 000006
【図５】
2011166531.tif 000007